(57)【要約】【課題】ソケットを交換することなくランプの誤使用を防止することのできる照明器具を提供する。【解決手段】ソケット１は、導電板３と、導電板３を収納する器体１０とを備え、導電板３は、各ランプＡ，ＢのランプピンＡ３，Ｂ３と接触することでランプピンＡ３，Ｂ３と電気的に接続されるピン接触部３０を有し、ＬＥＤランプＡをソケット１に装着する際にＬＥＤランプＡのランプピンＡ３がピン接触部３１を変位させる変位量と、蛍光灯Ｂをソケット１に装着する際に蛍光灯ＢのランプピンＢ３がピン接触部３１を変位させる変位量とが異なり、器体１０には、導電板３のピン接触部３０を蛍光灯ＢのランプピンＢ３が接触できない位置に保持する段部１１ｄが設けられ、ＬＥＤランプＡがソケット１に装着されると、ＬＥＤランプＡのランプピンＡ３がピン接触部３０を押圧して段部１１ｄに保持される位置に変位させる。【選択図】図１
2011198694.tif 000002
【特許請求の範囲】
【請求項１】
自身の端部に設けられた口金、及び前記口金から突出して設けられたランプピンを有した互いに異なる仕様の第１のランプ及び第２のランプと、前記各ランプの何れかが選択的に装着されるソケットと、前記ソケットを支持するとともに前記ソケットを介して前記第１のランプ又は前記第２のランプに点灯電力を給電する点灯装置を収納する器具本体とを備え、前記ソケットは、前記各ランプのランプピンと接触することで前記各ランプに通電する導電板と、前記導電板を収納する器体とを備え、前記導電板は、前記各ランプのランプピンの押圧によって撓み自在であって、前記各ランプのランプピンと接触することで前記ランプピンと電気的に接続されるピン接触部を有し、前記第１のランプを前記ソケットに装着する際に前記第１のランプのランプピンが前記ピン接触部を変位させる変位量と、前記第２のランプを前記ソケットに装着する際に前記第２のランプのランプピンが前記ピン接触部を変位させる変位量とが異なり、前記器体には、前記導電板の前記ピン接触部を前記第２のランプのランプピンが接触できない位置に保持する保持部が設けられ、前記第１のランプが前記ソケットに装着されると、前記第１のランプのランプピンが前記ピン接触部を前記保持部に保持される位置に変位させることを特徴とする照明装置。
【請求項２】
前記各ランプは、自身のランプピンを前記ソケットに設けられたピン挿入孔に挿入することで装着され、前記第１のランプのランプピンは、その軸方向における長さ寸法が前記第２のランプのランプピンの長さ寸法よりも大きいことを特徴とする請求項１記載の照明装置。
【請求項３】
前記各ランプは、自身のランプピンを前記ソケットに設けられたピン挿入溝に挿入し且つ回動することで装着され、前記ランプピンは、回転中心を中心とする円周上において回転中心を挟んで対称に配置され、前記第１のランプのランプピンは、その各ランプピン間の距離寸法が前記第２のランプの各ランプピン間の距離寸法よりも大きいことを特徴とする請求項１記載の照明装置。
【発明の詳細な説明】
【技術分野】
【０００１】
本発明は、照明装置に関する。
【背景技術】
【０００２】
近年、既存の蛍光灯用照明器具に取り付け可能な蛍光灯型の発光ダイオードランプ（以下、「ＬＥＤランプ」と呼ぶ）が、蛍光灯の代替光源として市場に出てきており、例えば特許文献１に開示されている。特許文献１に記載のＬＥＤランプ（ＬＥＤ装置)は、管状に形成された透光性部材の内部に複数個のＬＥＤを配設して成る。そして、透光性部材の両端に設けられた口金を照明器具のランプソケットに装着し、ランプソケットを介して点灯装置から点灯に必要な電力を給電することで、ＬＥＤが発光するようになっている。
【０００３】
このような蛍光灯型のＬＥＤランプの装着方法は、各メーカで統一されていない。例えば、ＬＥＤランプを既存の蛍光灯用照明器具で使用する場合には、蛍光灯用の点灯装置を取り外してＬＥＤランプ用の点灯装置を照明器具に備え付ける等、照明器具を改造する必要がある。
【先行技術文献】
【特許文献】
【０００４】
【特許文献１】特開２００４−３０９２９号公報
【発明の概要】
【発明が解決しようとする課題】
【０００５】
ところで、蛍光灯及び蛍光灯型のＬＥＤランプは一見して同じ形状であるため、改造を施した照明器具を既存の蛍光灯用照明器具と勘違いし、誤って蛍光灯を装着してしまう虞があった。この場合、蛍光灯とＬＥＤランプとでは点灯装置の設計が異なるため、誤って蛍光灯を接続すると点灯させることができず、ランプにも悪影響を与える虞があった。また、同じ蛍光灯型のＬＥＤランプであっても、他のメーカが製造した規格の異なるＬＥＤランプを改造を施した照明器具に誤って装着した場合、蛍光灯を装着した場合と同様に、点灯させることができず、ランプに悪影響を与える虞があった。
【０００６】
一方、上記特許文献１に記載のＬＥＤランプでは、ＬＥＤランプを点灯するために専用の口金を設けた構成であるため、既存の蛍光灯用照明器具において当該口金に対応するソケットに交換すれば、上記の問題は生じない。しかしながら、既存の蛍光灯用照明器具のソケットをＬＥＤランプの口金に対応するソケットに交換する必要があることから、部品点数が多くなるとともに手間がかかるという問題があった。
【０００７】
本発明は、上記の点に鑑みて為されたもので、ソケットを交換することなくランプの誤使用を防止することのできる照明器具を提供することを目的とする。
【課題を解決するための手段】
【０００８】
第１の発明は、上記目的を達成するために、自身の端部に設けられた口金、及び前記口金から突出して設けられたランプピンを有した互いに異なる仕様の第１のランプ及び第２のランプと、前記各ランプの何れかが選択的に装着されるソケットと、前記ソケットを支持するとともに前記ソケットを介して前記第１のランプ又は前記第２のランプに点灯電力を給電する点灯装置を収納する器具本体とを備え、前記ソケットは、前記各ランプのランプピンと接触することで前記各ランプに通電する導電板と、前記導電板を収納する器体とを備え、前記導電板は、前記各ランプのランプピンの押圧によって撓み自在であって、前記各ランプのランプピンと接触することで前記ランプピンと電気的に接続されるピン接触部を有し、前記第１のランプを前記ソケットに装着する際に前記第１のランプのランプピンが前記ピン接触部を変位させる変位量と、前記第２のランプを前記ソケットに装着する際に前記第２のランプのランプピンが前記ピン接触部を変位させる変位量とが異なり、前記器体には、前記導電板の前記ピン接触部を前記第２のランプのランプピンが接触できない位置に保持する保持部が設けられ、前記第１のランプが前記ソケットに装着されると、前記第１のランプのランプピンが前記ピン接触部を前記保持部に保持される位置に変位させることを特徴とする。
【０００９】
第２の発明は、第１の発明において、前記各ランプは、自身のランプピンを前記ソケットに設けられたピン挿入孔に挿入することで装着され、前記第１のランプのランプピンは、その軸方向における長さ寸法が前記第２のランプのランプピンの長さ寸法よりも大きいことを特徴とする。
【００１０】
第３の発明は、第１の発明において、前記各ランプは、自身のランプピンを前記ソケットに設けられたピン挿入溝に挿入し且つ回動することで装着され、前記ランプピンは、回転中心を中心とする円周上において回転中心を挟んで対称に配置され、前記第１のランプのランプピンは、その各ランプピン間の距離寸法が前記第２のランプの各ランプピン間の距離寸法よりも大きいことを特徴とする。
【発明の効果】
【００１１】
本発明は、第１のランプを一度ソケットに装着すると、次に第１のランプとは仕様の異なる第２のランプをソケットに装着した際に、当該第２のランプのランプピンがソケットに内蔵された導電板と接触することがない。したがって、第２のランプと点灯装置とが導電板を介して電気的に接続されないため、ソケットを交換するという手間をかけることなくランプの誤使用を防止することができる。
【図面の簡単な説明】
【００１２】
【図１】本発明に係る照明装置の実施形態１を示すソケットの断面図である。
【図２】同上の全体斜視図である。
【図３】（ａ）は同上のソケットの斜視図で、（ｂ）は同上のソケットの分解斜視図である。
【図４】同上のソケットにランプを装着した状態を示す図で、（ａ）は蛍光灯を装着した場合の要部断面図で、（ｂ）はＬＥＤランプを装着した場合の要部断面図で、（ｃ）はＬＥＤランプ装着後に蛍光灯を装着した場合の要部断面図である。
【図５】本発明に係る照明装置の実施形態２を示す図で、（ａ）はソケットの斜視図で、（ｂ）は蛍光灯及びＬＥＤランプの各ランプピンを示す要部平面図である。
【図６】同上のソケットにランプを装着した状態を示す回転子を省略した図で、（ａ）は蛍光灯を装着した場合の要部平面図で、（ｂ）はＬＥＤランプを装着した場合の要部平面図で、（ｃ）はＬＥＤランプ装着後に蛍光灯を装着した場合の要部平面図である。
【図７】同上の回転子の他の構成を説明するためのソケットの平面図である。
【発明を実施するための形態】
【００１３】
（実施形態１）
以下、本発明に係る照明装置の実施形態１について図面を用いて説明する。尚、以下の説明では、図１における上下左右をそれぞれ上方向、下方向、前方向、後方向と定めるものとする。本実施形態は、図１，２に示すように、直管形のＬＥＤランプＡ（第１のランプ）、及び直管形の蛍光灯Ｂ（第２のランプ）を何れも装着可能な１対のソケット１と、ソケット１を支持する器具本体２とから構成される。そして、器具本体２には、ソケット１を介してＬＥＤランプＡ又は蛍光灯Ｂに点灯電力を給電する点灯装置（図示せず）が収納されている。
【００１４】
ＬＥＤランプＡは、複数の発光ダイオードが列設された長尺板状の基板（図示せず）を直管形状の管体Ａ１に収納して成る。そして、管体Ａ１の長手方向の両端部には、それぞれ各ソケット１に装着される口金Ａ２が設けられており、各口金Ａ２からはそれぞれ丸棒状の１対のランプピンＡ３が突設されている（図４（ｂ）参照）。蛍光灯Ｂは、水銀を少量含むアルゴン等の放電ガスを直管形状の管体Ｂ１に充填して成る。そして、管体Ｂ１の長手方向の両端部には、それぞれ各ソケット１に装着される口金Ｂ２が設けられており、各口金Ｂ２からはそれぞれ丸棒状の１対のランプピンＢ３が突設されている（図４（ａ）参照）。尚、ＬＥＤランプＡの管体Ａ１の管径及び長さは、蛍光灯Ｂの管体Ｂ１と同じ寸法となっており、各ランプピンＡ３，Ｂ３は、各口金Ａ２，Ｂ２の同じ位置から突出するように設けられている。また、図４（ａ），（ｂ）に示すように、本実施形態では、ＬＥＤランプＡのランプピンＡ３は、その軸方向における長さ寸法Ｌ１が蛍光灯ＢのランプピンＢ３の長さ寸法Ｌ２よりも大きくなっている。
【００１５】
ソケット１は、図３（ａ），（ｂ）に示すように、一面を開口した箱形のボディ１１、及びボディ１１の開口面を塞ぐ板状のカバー１２から成る器体１０とから成る。そして、器体１０内部には、各ランプＡ，ＢのランプピンＡ３，Ｂ３と接触することで各ランプＡ，Ｂに通電する導電板３が配設される。尚、器体１０は、カバー１２の後面から突設された１対（図示では１つ）の円筒状のボス部１２ａにボディ１１内底面から突設された１対（図示では１つ）のリブ１１ａをそれぞれ挿入して嵌め込むことで組み立てられる。
【００１６】
ボディ１１の上面には、後述する点灯装置との間を繋ぐ電線（図示せず）が挿入される断面円形状の１対の電線挿入孔１１ｂが設けられている。カバー１２には、各ランプピンＡ３，Ｂ３が挿入される断面円形状の１対のピン挿入孔１２ｂが設けられている。
【００１７】
尚、各ピン挿入孔１２ｂの周縁部には、各ランプピンＡ３，Ｂ３が挿入し易いように、前方に向かうにつれて径方向に広がるテーパ１２ｃが形成されている。而して、各ランプピンＡ３，Ｂ３を挿入する際に、各ランプピンＡ３，Ｂ３の先端部をテーパ１２ｃに押し当てることで、各ランプピンＡ３，Ｂ３がピン挿入孔１２ｂに案内される。
【００１８】
導電板３は、各々細長い金属板から成り、一端に点灯装置との間を繋ぐ電線と電気的に接続される端子部３０が設けられるとともに、他端に各ランプピンＡ３，Ｂ３と電気的に接続されるピン接触部３１が設けられ、中間部が断面コ字状に折り曲げられている。端子部３０は、電線挿入孔１２ａと対向して配置される主片３０ａと、主片３０ａの一端部を下方に折り曲げて成る側片３０ｂと、主片３０ａの一部を切り起こして下方に折り曲げて成る鎖錠ばね片３０ｃとから構成される。而して、端子部３０は、主片３０ａの切り起こされた部位に挿通された電線を、側片３０ｂと鎖錠ばね片３０ｃの端部との間で挟持する速結端子構造となっている。
【００１９】
ピン接触部３１は、ピン挿入孔１２ｂに挿入された各ランプピンＡ３，Ｂ３の先端部を覆うように断面コ字状に形成されている。ここで、導電板３は、端子部３０をボディ１１内部の上面に固定した状態で器体１内部に配設され、ピン接触部３１が端子部３０を支点として前後方向に撓み自在となっている。而して、ピン接触部３１は、各ランプピンＡ３，Ｂ３の先端部に押圧されることで後方に撓むようになっており、その復帰力によって各ランプピンＡ３，Ｂ３の先端部を押し返して接触を維持するようになっている。また、ピン接触部３１の下端部は、後述する案内壁１１ｃと段部１１ｄ（保持部）とが成す角部に引っ掛かる引掛片３１ａとなっている。
【００２０】
ボディ１１内部の後面からは、各導電板３のピン接触部３１を案内するための断面コ字状の１対の案内壁１１ｃが前方に突出する形で設けられている。そして、各案内壁１１ｃの内面には、自身と案内壁１１ｃとが成す角部にピン接触部３１の引掛片３１ａを引っ掛けるための段部１１ｄが一体に形成されている。
【００２１】
ボディ１１上側の短手方向における両側、並びにカバー１２上側の短手方向における両側には、図３（ａ），（ｂ）に示すように、それぞれ厚み方向に沿ってスリット１１ｅ，１２ｄが設けられている。これらスリット１１ｅ，１２ｄは、ボディ１１及びカバー１２を組み立てて構成される器体１０において、器具本体２にソケット１を取り付けるための取付溝１０ａとなる。
【００２２】
器具本体２は、図２に示すように、各ランプＡ，Ｂの長手方向に沿って長尺な箱形に形成されており、その内部にＬＥＤランプＡの点灯装置（図示せず）、又は蛍光灯Ｂの点灯装置（図示せず）の何れかが収納される。尚、本実施形態では、器具本体２の内部には予め蛍光灯Ｂの点灯装置が収納されているものとする。また、器具本体２の長手方向における両端部の各下面には、図示しないが各ソケット１を取り付けるための取付用開口部が設けられている。この取付用開口部の周縁部に各ソケット１の取付溝１０ａを嵌め込むことで、各ソケット１が器具本体２に支持されるようになっている。
【００２３】
以下、本実施形態における各ランプＡ，Ｂの装着について図面を用いて説明する。先ず、蛍光灯Ｂをソケット１に装着する場合について説明する。図４（ａ）に示すように、蛍光灯ＢのランプピンＢ３をソケット１のピン挿入孔１２ｂに挿入すると、各ランプピンＢ３の先端部が各導電板３のピン接触部３１を押圧することで、ピン接触部３１が後方に撓む。この状態では、ランプピンＢ３がピン接触部３１に接触していることから、使用時には蛍光灯Ｂに点灯電力が給電される。このとき、ピン接触部３１の引掛片３１ａは段部１１ｄの上面と接触しながら後方に撓むが、段部１１ｄを乗り越えない。而して、蛍光灯Ｂをソケット１から外す際には、ランプピンＢ３がピン接触部３１を押圧する力が解除されるため、ピン接触部３１は元の状態に復帰する。このため、再度蛍光灯Ｂをソケット１に装着することができる。
【００２４】
次に、ＬＥＤランプＡをソケット１に装着する場合について説明する。尚、ＬＥＤランプＡをソケット１に装着するに当たっては、器具本体２に収納されている蛍光灯Ｂの点灯装置をＬＥＤランプＡの点灯装置に交換しているものとする。図４（ｂ）に示すように、ＬＥＤランプＡのランプピンＡ３をソケット１のピン挿入孔１２ｂに挿入すると、各ランプピンＡ３の先端部が各導電板３のピン接触部３１を押圧することで、ピン接触部３１が後方に撓む。この状態では、ランプピンＡ３がピン接触部３１に接触していることから、使用時にはＬＥＤランプＡに点灯電力が給電される。このとき、ＬＥＤランプＡのランプピンＡ３の軸方向における長さ寸法Ｌ１が、蛍光灯ＢのランプピンＢ３の長さ寸法Ｌ２よりも大きいため、ピン接触部３１の引掛片３１ａが段部１１ｄを乗り越える。即ち、長さ寸法Ｌ２の蛍光灯ＢのランプピンＢ３では、ピン接触部３１を押圧した際に段部１１ｄを乗り越える程度の変位量が得られない。一方、長さ寸法Ｌ１のＬＥＤランプＡのランプピンＡ３では、ピン接触部３１を押圧した際に段部１１ｄを乗り越える程度の変位量が得られる。この状態でＬＥＤランプＡをソケット１から外すと、ランプピンＢ３がピン接触部３１を押圧する力が解除されるため、ピン接触部３１は元の状態に復帰しようとする。しかしながら、各引掛片３１ａが各段部１１ｄを乗り越えているため、案内壁１１ｃと段部１１ｄとが成す角部に引掛片３１ａが引っ掛かり、ピン接触部３１は元の状態よりも後方に撓んだ状態で保持される。
【００２５】
最後に、上記のようにＬＥＤランプＡを一度装着した後に、再度蛍光灯Ｂをソケット１に装着する場合について説明する。図４（ｃ）に示すように、蛍光灯ＢのランプピンＢ３をソケット１のピン挿入孔１２ｂに挿入すると、上述のように各導電板３のピン接触部３１が後方に撓んだ状態で保持されているため、各ランプピンＢ３が各ピン接触部３１と接触することがない。而して、蛍光灯Ｂをソケット１に装着しても、使用時において蛍光灯Ｂと点灯装置とが導電板３を介して電気的に接続されることがない。
【００２６】
上述のように、ＬＥＤランプＡをソケット１に装着する際にＬＥＤランプＡのランプピンＡ３がピン接触部３１を変位させる変位量と、蛍光灯Ｂをソケット１に装着する際に蛍光灯ＢのランプピンＢ３がピン接触部３１を変位させる変位量とが異なる。また、器体１０には、ピン接触部３１を蛍光灯ＢのランプピンＢ３が接触できない位置に保持する段部１１ｄが設けられ、ＬＥＤランプＡがソケット１に装着されると、ＬＥＤランプＡのランプピンＡ３がピン接触部３１を段部１１ｄに保持される位置に変位させる。このため、ＬＥＤランプＡを一度ソケット１に装着すると、次にＬＥＤランプＡとは仕様の異なる蛍光灯Ｂをソケット１に装着した際に、当該蛍光灯ＢのランプピンＢ３がソケット１に内蔵された導電板３と接触することがない。したがって、蛍光灯Ｂと点灯装置とが導電板３を介して電気的に接続されないため、ソケット１を交換するという手間をかけることなくランプの誤使用を防止することができる。即ち、点灯装置及びランプを交換することで既存の蛍光灯用照明装置からＬＥＤランプ用照明装置に変更した場合に、間違えて従来の蛍光灯Ｂが装着されても給電されないので、安全である。
【００２７】
また、本実施形態では、各ランプＡ，Ｂの各ランプピンＡ３，Ｂ３の軸方向における長さ寸法を互いに異ならせるだけでピン接触部３１の変位量を互いに異ならせることができるので、構造が簡単である。
【００２８】
また、本実施形態のソケット１の構造が簡単であるため、設計が容易であり、ＬＥＤランプＡ及び蛍光灯Ｂの何れに対しても同じ導電板３を用いるので、従来の蛍光灯専用のソケットと比較しても部品点数が増えることがない。更に、外観も蛍光灯専用のソケットと変わらないため、照明装置のデザインに影響を与えることもない。
【００２９】
（実施形態２）
以下、本発明に係る照明装置の実施形態２について図面を用いて説明する。尚、本実施形態は、ソケット４の構造が実施形態１と相違しているので、以下ではソケット４についてのみ説明する。尚、本実施形態の各ランプＡ，ＢのランプピンＡ３，Ｂ３の軸方向における長さ寸法は等しくなっている。一方、図５（ｂ）に示すように、本実施形態では、各ランプピンＡ３，Ｂ３は、各ランプＡ，Ｂを回動させる際の回転中心を中心とする円周上において回転中心を挟んで対称に配置されている。そして、ＬＥＤランプＡのランプピンＡ３は、その各ランプピンＡ３間の距離寸法ｄ１が蛍光灯Ｂの各ランプピンＢ３間の距離寸法ｄ２よりも大きくなっている。尚、以下の説明では、図５（ａ）における上下を上下方向、器体４の厚み方向における紙面手前側を前方向、紙面奥側を後方向と定めるものとする。
【００３０】
本実施形態のソケット４は、図５（ａ），図６（ａ）に示すように、ボディ４０及びカバー４１から成る器体４０と、回転子５と、１対の導電板６とから成る。ボディ４１は、前面を開口した箱形に形成され、その内底面には、回転子５を保持するための円筒状の第１の回転子保持筒４１ａが前方に向かって突出する形で設けられている（図６（ａ）参照）。第１の回転子保持筒４１ａには、上下方向に沿って貫通するとともに、各ランプＡ，ＢのランプピンＡ３，Ｂ３が上下方向に沿って挿入可能な幅寸法を有するスリット４１ｂが設けられている。また、ボディ４１上側の短手方向における両側には、図５（ａ）に示すように、厚み方向に沿ってスリットが設けられている。このスリットは、ボディ４１及びカバー４２を組み立てて構成される器体４０において、器具本体２にソケット４を取り付けるための取付溝４ａとなる。
【００３１】
カバー４２は、ボディ４１の開口面を覆う板状に形成され、その前面には、前面が開口するとともに回転子５を保持する円筒状の第２の回転子保持筒４２ａが前方に向かって突出する形で設けられている（図６（ａ）参照）。この第２の回転子保持筒４２ａの下端部には、上下方向に沿って貫通するとともに、各ランプＡ，ＢのランプピンＡ３，Ｂ３が上下方向に沿って挿入可能な幅寸法を有するスリット４２ｂが設けられている。また、カバー４２の上端部には、点灯装置との間を繋ぐ電線が挿入される断面円形状の２対の電線挿入孔４２ｃが設けられている。また、第２の回転子保持筒４２ａの内壁面における下端側には、後述する導電板６の引掛片６０ａを各々引っ掛けるための１対の突部４２ｄ（保持部）が第２の回転子保持筒４２ａの中心に向かう向きに突出する形で一体に形成されている。
【００３２】
回転子５は、図５（ａ）に示すように円筒状に形成され、第１の回転子保持筒４１ａと第２の回転子保持筒４２ａとの間で回動自在に保持される。また、その前端部には、各ランプＡ，Ｂの口金Ａ２，Ｂ２と当接する円盤状の受金部５０が一体に形成されている。回転子５には、受金部５０を含めて上下方向に貫通するとともに、各ランプＡ，ＢのランプピンＡ３，Ｂ３が上下方向に沿って挿入可能な幅寸法を有するスリット５１が設けられている。当該スリット５１と、前述の各スリット４１ｂ，４２ｂとからピン挿入溝４ｂが構成される。
【００３３】
導電板６は、各々細長い金属板を折り曲げて成り、図６（ａ）に示すように、一端側に各ランプピンＡ３，Ｂ３と電気的に接続される断面く字状のピン接触部６０が設けられ、他端側に点灯装置との間を繋ぐ電線と電気的に接続される端子部（図示せず）が設けられている。尚、端子部は実施形態１と同様に速結端子構造となっており、電線挿入孔４２ｃに挿通された電線を挟持するようになっている。
【００３４】
ここで、導電板６は、図６（ａ）に示すように、端子部をボディ４１内部の上側に固定した状態で器体４０内部に配設され、ピン接触部６０が端子部を中心とした円周方向に撓み自在となっている。而して、各導電板６のピン接触部６０は、各ランプピンＡ３，Ｂ３の先端部に押圧されることで互いに離れる向きに撓むようになっており、その復帰力によって各ランプピンＡ３，Ｂ３の先端部を押し返して接触を維持するようになっている。また、ピン接触部６０の下端部（同図における右端部）は、前述の突部４２ｄに引っ掛かる引掛片６０ａとなっている。
【００３５】
以下、本実施形態における各ランプＡ，Ｂの装着について図面を用いて説明する。先ず、蛍光灯Ｂをソケット４に装着する場合について説明する。図６（ａ）に示すように、蛍光灯ＢのランプピンＢ３をソケット４のピン挿入溝４ｂに挿入し、回転子５を時計回りに回動すると、各ランプピンＢ３が各導電板６のピン接触部６０を押圧することで、各ピン接触部６０が互いに離れる向きに撓む。この状態では、ランプピンＢ３がピン接触部６０に接触していることから、使用時には蛍光灯Ｂに点灯電力が給電される。このとき、各ピン接触部６０の引掛片６０ａは互いに離れる向きに撓むが、各突部４２ｄを乗り越えない。而して、回転子５を反時計回りに回動して蛍光灯Ｂをソケット４から外す際には、ランプピンＢ３がピン接触部６０を押圧する力が解除されるため、ピン接触部６０は元の状態に復帰する。このため、再度蛍光灯Ｂをソケット４に装着することができる。
【００３６】
次に、ＬＥＤランプＡをソケット４に装着する場合について説明する。尚、ＬＥＤランプＡをソケット４に装着するに当たっては、器具本体２に収納されている蛍光灯Ｂの点灯装置をＬＥＤランプＡの点灯装置に交換しているものとする。図６（ｂ）に示すように、ＬＥＤランプＡのランプピンＡ３をソケット４のピン挿入溝４ｂに挿入し、回転子５を時計回りに回動すると、各ランプピンＡ３の先端部が各導電板６のピン接触部６０を押圧することで、各ピン接触部６０が互いに離れる向きに撓む。この状態では、ランプピンＡ３がピン接触部６０に接触していることから、使用時にはＬＥＤランプＡに点灯電力が給電される。このとき、ＬＥＤランプＡの各ランプピンＡ３間の距離寸法ｄ１が、蛍光灯Ｂの各ランプピンＢ３間の距離寸法ｄ２よりも大きいため、各ピン接触部６０の引掛片６０ａが各突部４２ｄを乗り越える。即ち、距離寸法ｄ２の蛍光灯ＢのランプピンＢ３では、ピン接触部６０を押圧した際に突部４２ｄを乗り越える程度の変位量が得られない。一方、距離寸法ｄ１のＬＥＤランプＡのランプピンＡ３では、ピン接触部６０を押圧した際に突部４２ｄを乗り越える程度の変位量が得られる。この状態で回転子５を反時計回りに回動してＬＥＤランプＡをソケット４から外すと、ランプピンＢ３がピン接触部６０を押圧する力が解除されるため、ピン接触部６０は元の状態に復帰しようとする。しかしながら、各引掛片６０ａが各突部４２ｄを乗り越えているため、突部４２ｄに引掛片６０ａが引っ掛かり、各ピン接触部６０は元の状態よりも互いに離れる向きに撓んだ状態で保持される。
【００３７】
最後に、上記のようにＬＥＤランプＡを一度装着した後に、再度蛍光灯Ｂをソケット４に装着する場合について説明する。図６（ｃ）に示すように、蛍光灯ＢのランプピンＢ３をソケット４のピン挿入溝４ｂに挿入し、回転子５を時計回りに回動すると、上述のように各導電板６のピン接触部６０が互いに離れた向きに撓んだ状態で保持されているため、各ランプピンＢ３が各ピン接触部６０と接触することがない。而して、蛍光灯Ｂをソケット４に装着しても、使用時において蛍光灯Ｂと点灯装置とが導電板６を介して電気的に接続されることがない。
【００３８】
上述のように、ＬＥＤランプＡをソケット４に装着する際にＬＥＤランプＡのランプピンＡ３がピン接触部６０を変位させる変位量と、蛍光灯Ｂをソケット４に装着する際に蛍光灯ＢのランプピンＢ３がピン接触部６０を変位させる変位量とが異なる。また、器体４０には、ピン接触部６０を蛍光灯ＢのランプピンＢ３が接触できない位置に保持する突部４２ｄが設けられ、ＬＥＤランプＡがソケット４に装着されると、ＬＥＤランプＡのランプピンＡ３がピン接触部６０を突部４２ｄに保持される位置に変位させる。このため、ＬＥＤランプＡを一度ソケット４に装着すると、次にＬＥＤランプＡとは仕様の異なる蛍光灯Ｂをソケット４に装着した際に、当該蛍光灯ＢのランプピンＢ３がソケット４に内蔵された導電板６と接触することがない。したがって、蛍光灯Ｂと点灯装置とが導電板６を介して電気的に接続されないため、ソケット４を交換するという手間をかけることなくランプの誤使用を防止することができる。即ち、点灯装置及びランプを交換することで既存の蛍光灯用照明装置からＬＥＤランプ用照明装置に変更した場合に、間違えて従来の蛍光灯Ｂが装着されても給電されないので、安全である。
【００３９】
また、本実施形態では、各ランプＡ，ＢのランプピンＡ３，Ｂ３間の距離寸法を互いに異ならせるだけでピン接触部６０の変位量を互いに異ならせることができるので、構造が簡単である。
【００４０】
また、本実施形態のソケット４の構造が簡単であるため、設計が容易であり、ＬＥＤランプＡ及び蛍光灯Ｂの何れに対しても同じ導電板６を用いるので、従来の蛍光灯専用のソケットと比較しても部品点数が増えることがない。更に、外観も蛍光灯専用のソケットと変わらないため、照明装置のデザインに影響を与えることもない。
【００４１】
尚、図７に示すように、回転子５のスリット５１に位置決め用突起５０ａを一体に形成してもよい。位置決め用突起５０ａは、各々断面三角形状に形成され、スリット５１の上下両側において、各々頂部を対向する形で１対ずつ設けられている。対向する位置決め用突起５０ａの頂部間の距離寸法は、各ランプＡ，ＢのランプピンＡ３，Ｂ３の径寸法よりも僅かに小さくなるように設定されている。
【００４２】
而して、蛍光灯Ｂをソケット４に装着する場合には、ピン挿入溝４ｂの下側からランプピンＢ３を挿入し、下側の１対の位置決め用突起５０ａを乗り越えるように押し込む。すると、上側のランプピンＢ３が上側の１対の位置決め用突起５０ａによって位置決めされる。また、ＬＥＤランプＡをソケット４に装着する場合には、ピン挿入溝４ｂの下側からランプピンＡ３を挿入し、上下両側の２対の位置決め用突起５０ａを乗り越えるように押し込む。すると、上側のランプピンＡ３が上側の１対の位置決め用突起５０ａと第２の回転子保持筒４２ａとの間に位置決めされる。したがって、各ランプＡ，Ｂをソケット４に装着する際に、各ランプピンＡ３，Ｂ３を容易に位置決めすることができる。
【００４３】
ところで、上記各実施形態では、ＬＥＤランプＡを第１のランプ、蛍光灯Ｂを第２のランプとしているが、互いに異なる仕様のランプであれば他の光源であってもよい。例えば、第１のランプ及び第２のランプが何れもＬＥＤランプであってもよく、各ＬＥＤランプの仕様が互いに異なっていればよい。即ち、各ランプのランプピンの軸方向における長さ寸法が互いに異なる、若しくは、各ランプのランプピン間の距離寸法が互いに異なる仕様であればよい。
【００４４】
また、上記各実施形態では、１対のソケット１，４の何れもランプの誤使用を防止する構造を備えているが、１対のうち何れか一方のソケット１，４が従来のソケットであっても構わない。この場合でも、上記と同様にランプの誤使用を防止する効果を奏することができる。
【符号の説明】
【００４５】
１  ソケット
１０  器体
１１ｄ  段部（保持部）
１２ｂ  ピン挿入孔
２  器具本体
３  導電板
３１  ピン接触部
４  ソケット
４ｂ  ピン挿入溝
４０  器体
４２ｄ  突部（保持部）
６  導電板
６０  ピン接触部
Ａ  ＬＥＤランプ（第１のランプ）
Ａ２  口金
Ａ３  ランプピン
Ｂ  蛍光灯（第２のランプ）
Ｂ２  口金
Ｂ３  ランプピン
【図１】
2011198694.tif 000003
【図２】
2011198694.tif 000004
【図３】
2011198694.tif 000005
【図４】
2011198694.tif 000006
【図５】
2011198694.tif 000007
【図６】
2011198694.tif 000008
【図７】
2011198694.tif 000009